(57)【特許請求の範囲】
【請求項１】
本体ケース（１）と、イオンを発生するイオン発生器（３）と、送風装置（４）とを備えている整髪用ブラシであって、
イオン発生器（３）と対向する本体ケース（１）の前壁（１ａ）に、送風装置（４）から送出される加圧風を吹き出す吹出口（２０）と、この吹出口（２０）と対向する位置に放出口（５５）が開口されているブラシユニット（２）とが設けられており、
本体ケース（１）の背壁（１ｂ）に、送風装置（４）の吸込口（２８）が開口してあり、
本体ケース（１）のケース内空間のほぼ中央部に、イオン出口（５１）が形成されているイオン発生装置（３）が配置されており、
イオン発生器（３）の上部に隣接して送風装置（４）が配置してあり、
イオン発生装置（３）を本体ケース（１）に取り付けた状態において、イオン出口（５１）が吹出口（２０）と正対している整髪用ブラシ。
【請求項２】
送風装置（４）が、遠心式のファン（３５）と、ファン（３５）を回転駆動するモーター（３４）とで構成されている請求項１に記載の整髪用ブラシ。
【請求項３】
イオン発生器（３）が、本体ケース（１）の吸込口（２８）と吹出口（２０）との間の送風経路の途中に配置されており、
イオン発生器（３）と本体ケース（１）の背壁（１ｂ）との間に、ファン（３５）から送出された空気流の空気溜り領域（Ｅ）が設けてある請求項１または２に記載の整髪用ブラシ。
【請求項４】
本体ケース（１）の背壁（１ｂ）が外突状の３次元湾曲壁で形成されており、
ファン（３５）のファンブレード（３５ｂ）の回転外郭面が、本体ケース（１）の背壁（１ｂ）の湾曲面に沿わせて湾曲してある請求項２または３に記載の整髪用ブラシ。
【請求項５】
ファン（３５）の回転直径（Ｄ）が、モーター（３４）の直径寸法（ｄ）より大きく設定されており、
ファン（３５）の一部がモーター（３４）の外面に被さるように構成してある請求項２、３または４に記載の整髪用ブラシ。
【発明の詳細な説明】
【技術分野】
【０００１】
この発明は、イオンを発生するイオン発生器と、送風装置とを備えている整髪用ブラシに関する。
【背景技術】
【０００２】
この種の整髪ブラシは、実開平３−７４８１９号公報に公知である。そこでは、中空の本体ケースの内部にオゾン発生器と送風装置とを配置して、オゾン発生器で生成したオゾンを、送風装置から送給される加圧風に載せてブリッスル側から吹き出すようになっており、ブラッシングしている髪および頭皮をオゾンに晒して殺菌し、あるいは脱臭できる。送風装置は、軸流式のファンとファンを回転駆動するモータとからなり、その吸込口が本体ケースの上端面に開口してある。オゾン発生器に換えて、イオン発生器をケース内部に内蔵した整髪ブラシが公知（特開昭６０−１６０９０４号公報）であるが、このブラシの場合には、イオン発生器を備えているのみで送風装置は備えていない。
【０００３】
【特許文献１】特開昭６０−１６０９０４号公報
【発明の開示】
【発明が解決しようとする課題】
【０００４】
オゾン発生器と送風装置とを備えた上記の整髪ブラシにおいては、中空の本体ケースの上端面に送風装置の吸込口が開口してあるので、ブラシで髪を梳き流す際に、ブラシが髪の内部に沈み込み吸込口を塞ぐおそれがある。また、髪が長い場合には、吸い込まれた髪がファンに巻き込まれる事故を起こしかねない。整髪ブラシは、主ケースと、主ケースに対して着脱されるブラシユニットとで中空ケース状に構成してあるが、ブラシユニットを主ケースから取り外すと、オゾン発生器が露出してしまうので、いたずらを受けやすい不利もある。ケースの内部上方に設けた軸流式のファンで下向きに加圧空気を送給し、この送給方向と直交する向きに開口する吹出口から加圧空気を吹き出すので、空気やオゾンがケース内に滞留しやすく、ファンの送風効率が低いなど、実際の製品とするには多くの課題がある。
【０００５】
この発明の目的は、本体ケースの内部にイオン発生器と送風装置とを備えていて、イオン発生器で生成したイオンを髪や頭皮へ効果的に送給できる整髪用ブラシを提供することにある。この発明の目的は、長い髪を梳る場合にも、髪が送風装置によって吸い込まれるのを確実に防止でき、従って、長い髪の場合にも安全にブラッシングを行える整髪ブラシを提供することにある。この発明の目的は、吸込口、送風装置、吹出口などの配置や構造を最適化して、送風装置による送風効率を向上でき、従ってイオンを髪や頭皮へ効果的に送給できる整髪用ブラシを提供することにある。
【課題を解決するための手段】
【０００６】
この発明の整髪用ブラシは、本体ケース１と、イオンを発生するイオン発生器３と、送風装置４とを備えている。イオン発生器３と対向する本体ケース１の前壁１ａに、送風装置４から送出される加圧風を吹き出す吹出口２０と、この吹出口２０と対向する位置に放出口５５が開口されているブラシユニット２とが設けられる。本体ケース１の背壁１ｂに、送風装置４の吸込口２８を開口する。
【０００７】
具体的には、本体ケース１のケース内空間のほぼ中央部に、イオン出口５１が形成されているイオン発生装置３を配置する。イオン発生装置３の上部に隣接して送風装置４を配置する。イオン発生装置３を本体ケース１に取り付けた状態において、イオン出口（５１）が吹出口（２０）と正対している。
【０００８】
送風装置４は、遠心式のファン３５と、ファン３５を回転駆動するモーター３４とで構成する。
【０００９】
イオン発生器３は、本体ケース１の吸込口２８と吹出口２０との間の送風経路の途中に配置する。イオン発生器３と本体ケース１の背壁１ｂとの間に、ファン３５から送出された空気流の空気溜り領域Ｅを設ける。
【００１０】
本体ケース１の背壁１ｂは外突状の３次元湾曲壁で形成する。ファン３５のファンブレード３５ｂの回転外郭面を、本体ケース１の背壁１ｂの湾曲面に沿わせて湾曲させる。
【００１１】
ファン３５の回転直径Ｄを、モーター３４の直径寸法ｄより大きく設定する。ファン３５の一部がモーター３４の外面に被さるようにファン３５を構成する。
【発明の効果】
【００１２】
この発明では、イオン発生器３と送風装置４とを備えている整髪ブラシにおいて、本体ケース１の前壁１ａにブラシユニット２と吹出口２０とを設け、本体ケース１の背壁１ｂに送風装置４の吸込口２８を開口するようにした。つまり整髪ブラシで髪を梳る際に外表面となるケース背面側に、送風装置４の吸込口２８を開口するので、長い髪を梳る場合に髪が送風装置４によって吸い込まれるのを確実に防止しながら、イオン発生器３で生成したイオンを送風装置４から送られる空気流に乗せて髪に吹き出し送給できる。
【００１３】
本体ケース１のケース内空間のほぼ中央部にイオン発生装置３を配置し、イオン発生装置３の上部に隣接して送風装置４を配置した整髪ブラシによれば、本体ケース１の内部空間を有効に利用しながら、嵩張りやすいイオン発生器３と送風装置４とをコンパクトにまとめて配置でき、その分だけ本体ケース１の前後厚みを小さくして、整髪ブラシを小型化できる。また、送風装置４をイオン発生器３の上側に隣接配置するのに伴って、送風装置４の吸込口２８の位置が必然的にイオン発生器３から遠ざかるので、例えば、吸込口２８から細い棒状体を差し込んでイオン発生器３がいたずらされるなど、不測の事故を確実に防止できる。
【００１４】
遠心式のファン３５と、モーター３４とで構成した送風装置４によれば、ファン３５で生起された空気流を本体ケース１の背壁１ｂで流動案内して、収束された状態の空気流をイオン発生器３の背面側へ送給できる。従って、軸流式のファンを用いる場合に比べて、空気流が本体ケース１の内部で広く分散するのを防止し、空気流の貫通力を向上でき、送風時の通気抵抗を抑止して送風効率を向上できる。また、軸流式のファンを用いる場合に比べて、ファン３５と、モーター３４とが占める空間量を小さくすることができるので、その分だけ整髪ブラシをコンパクト化できる。
【００１５】
吸込口２８と吹出口２０との間の送風経路の途中にイオン発生器３を配置し、イオン発生器３と本体ケース１の背壁１ａとの間に空気溜り領域Ｅを設けた整髪ブラシによれば、ファン３５で生起した空気流を抵抗無く空気溜り領域Ｅへ吹き出すことができるので、ファン３５とイオン発生器３との間の通気抵抗を最小限化できるうえ、イオン発生器３の背部に充満空間が大きな空気溜り領域Ｅを設けるので、本体ケース１内における空気流の分流や変向に伴う通気抵抗の発生を抑止して、送風効率を向上できる。
【００１６】
本体ケース１の背壁１ｂを外突状の３次元湾曲壁で形成し、ファン３５のファンブレード３５ｂの回転外郭面を、先の湾曲壁に沿わせて湾曲させるようにした整髪ブラシによれば、ファン３５を背壁に接近配置して、整髪ブラシを小型化できるうえ、ファン３５で生起した空気流を３次元湾曲壁で滑らかに流動案内できるので、送風効率を向上できる。背壁１ｂをファン３５用の導風壁に利用して、送風装置４の構造の簡素化を実現できる。
【００１７】
ファン３５の回転直径Ｄをモーター３４の直径寸法ｄより大きく設定すると、ファン３５の一部、例えばファンベース３５ａがモーター３４の外面に被さる構造を採用して、本体ケース１内における内部部品の集約度合いを向上できる。
【実施例】
【００１８】
図１ないし図１１はこの発明に係る整髪ブラシの実施例を示す。図２および図３において、整髪ブラシは、本体ケース１と、本体ケース１の前面上部に着脱可能に装着されるブラシユニット２と、本体ケース１の内部に組み込まれるイオン発生器３、送風装置４、電装品ユニット５、および二次電池（電池）６などで構成してある。本体ケース１の前面には、電源をオン・オフ操作するスイッチノブ７と、ブラシユニット２のロック状態を解除するための解除ボタン８とが設けてある。  
【００１９】
図４および図７において、本体ケース１は、中間ケース１０と、中間ケース１０の枠部１５の前後に組み付けられる前ケース１１、および後ケース１２と、中間ケース１０のグリップ１４の内部に装填される内ケース１３などで構成する。中間ケース１０は、細筒状のグリップ１４の上端に、楕円リング状の枠部１５を一体に成形した透明或いは半透明のプラスチック成形品からなる。上すぼまりテーパー状に形成されるグリップ１４の内面には、グリップ１４と相似する断面形状の内ケース１３が、下開口側から差し込み装填してあり、両者の間には導電性を有する装飾シート１６が挟み込んである（図５参照）。装飾シート１６は、プラスチックフィルムの片面にアルミニウム等の金属を蒸着して形成してあり、導電性を有する。枠部１５の内面にも、プラスチックフィルムの片面にアルミニウム等の金属を蒸着して形成した楕円リング状の装飾シート１７が配置してある。これによって、グリップ１４や枠部１５を透かして装飾された装飾シート１６・１７をみることができるので、深みのある色合いを表現することができる。また、同一機種で表面装飾の異なる整髪用ブラシを得るに際し、中間ケース１０を共用化するできるので、色違いや絵柄、図柄の異なる装飾シート１６・１７さえ用意しておけば、そのうちの任意の装飾シート１６・１７を選んでこれを中間ケース１０の内面に配するだけで多種多様の表面装飾をもつ整髪用ブラシを簡易にかつ低コストで得ることができる。さらに、特に透明の中間ケース１０を採用した場合、塗料が混入していない分リサイクルの面で有利であり環境にもやさしい。また、装飾シート１６・１７を多孔質或いは繊維質（フェルト）のシート材に装飾を施したものを採用すれば、電池の液漏れの際は同液を吸収し本体ケース１表面側への流出を防ぎ、髪に付着した水滴の本体ケース１内への侵入の際はこの水滴を吸収し本体ケース１内への侵入を可及的に防止できる。グリップ１４の前面上部に、先のスイッチノブ７と、解除ボタン８とが組み付けられている。内ケース１３は、蓋合わせ状に接合される前内ケース１３ａと、後内ケース１３ｂとからなり、後内ケース１３ｂの上部には、係合穴１８が通設してある（図１参照）。
【００２０】
図６において、前ケース１１は、小判形のプラスチック成形品からなり、その板壁の前面上部に長円状の膨出壁を設け、膨出壁の下部に加圧風を吹き出す吹出口２０を開口し、膨出壁の上側１箇所、および下側左右の合計３箇所に、ブラシユニット２を掛け止め係合するためのポケット２１が突設してある。板壁の上下にはビス座２２を設け、下側のビス座２２の下方にピン穴を通設している。吹出口２０に臨む板壁の裏面には、イオン通路２３を区画する断面円形の筒壁２４を一体成形で突設し、その周囲２箇所にイオン発生器３を固定するためのねじボス２５を設けている。筒壁２４の下部周面の２箇所には、新規空気を導入するためのスリット２４ａが形成してあり、両スリット２４ａの間の周壁に限って、他の周壁より外方へ張出してある。吹出口２０は、いたずら防止用の格子で縦横に区分してある。なお、前ケース１１の板壁が本体ケース１の前壁１ａとなる。
【００２１】
後ケース１２は、本体ケース１の背壁１ｂを構成する外突状の３次元湾曲壁と、中間ケース１０の枠部１５に嵌り込む小判形の周壁２７とを一体に形成したプラスチック成形品からなる。先の３次元湾曲壁の上部に送風装置４用の吸込口２８を開口し、吸込口２８を囲む３次元湾曲壁の内面に、３個のねじボス２９を突設し、上下２箇所に前ケース１１を締結するためのねじボス３１を突設している（図８参照）。図８に示すように、周壁２７の下部は、後段トランス  との接当干渉を避けるために切り欠いてある。吸込口２８は上下方向へ長いスリット群で形成する。後ケース１２の内面上部に設けた３個のねじボス２９に、送風装置４のモーター３４を固定する。
【００２２】
図９において、送風装置４は、モーターホルダー３３に固定されるモーター３４と、モーター３４の出力軸３４ａに固定される遠心式のファン３５とからなり、モーターホルダー３３の３個の脚片をビス３６でねじボス２９に締結することにより、後ケース１２と一体化してある。ファン３５は、モーターホルダー３３に被さるドーム状のファンベース３５ａと、ファンベース３５ａの外周面に沿って渦巻状に突設した一群のファンブレード３５ｂとを一体に成形したプラスチック成形品からなる。
【００２３】
ファン３５の送風効率を上げ、さらに本体ケース１内における内部部品の集約度合いを向上するために、ファンブレード３５ｂを背壁１ｂに近接する状態で配置し、その回転外郭面を背壁１ｂの湾曲面に沿わせ、さらにモーター３４およびファン３５を斜めに傾斜した状態で後ケース１ｂに固定している。図４に示すように、ファン３５の回転直径Ｄをモーター３４の直径寸法ｄより大きく設定し、ファンベース３５ａがモーターホルダー３３に被さる構造とすることも、本体ケース１内における内部部品の集約度合いを向上することに役立っている。ファン３５と対向する背壁１ｂは、ファン３５で生起された加圧空気を案内する導風壁を兼ねている。
【００２４】
図１０においてイオン発生器３を含むイオン生成手段は、直流電源（電池６）からの電圧・電流をパルス化する高周波パルス発生回路３８と、パルス化された電圧・電流を１００Ｖまで昇圧する前段トランス３９と、昇圧後の電圧・電流を低周波パルス電流に変換する低周波パルス発生回路４０と、このパルス電圧・電流を４ｋＶの高電圧に昇圧する後段トランス４１と、イオン発生器３などで構成してある。高周波パルス発生回路３８、前段トランス３９、低周波パルス発生回路４０は、それぞれ回路基板４２に実装されて、電装品ユニット６を構成している。回路基板４２には、スイッチノブ７でオンオフ操作されるスライドスイッチが設けてある。イオン発生器３は、後段トランス４１と共に前ケース１１の内面に固定してある。
【００２５】
図１１において、イオン発生器３は、電極ホルダー４３と、電極ホルダー４３の一側中央部に固定される中央電極４４、および中央電極４４の周りを囲む対向電極４５と、中央電極４４と対向電極４５との間の空間を絶縁遮断する誘電筒４６とで構成する。中央電極４４は、放電抵抗が小さなタングステンで針状に形成してある。対向電極４５は、銅または鉄製の薄板を素材にして形成したリング状のプレス金具からなる。電極ホルダー４３は、耐オゾン性と耐熱性を有し、しかも絶縁性に優れたプラスチック、例えばポリフェニレンサルファイドを素材とする車輪状のプラスチック成形品からなり、その中央のボス部４７に先の中央電極４４が固定され、ボス部４７の外面に対向電極４５が固定してある。
【００２６】
誘電筒４６は雲母、ガラス、セラミックスなどの高度の絶縁特性を備えた素材で円筒状に形成してあり、ボス部４７の前端の凹部に内嵌固定される。中央電極４４と対向電極４５との間で不整放電が生じるのを防いで、効果的にマイナスイオンを生成するために、誘電筒４６は中央電極４４の突端より前方へ大きく突出してある。この誘電筒４６の突端開口がイオン出口５１となる。
【００２７】
電極ホルダー４３の周囲のリング部４８を前ケース１１の筒壁２４に外嵌し、その周面２箇所に設けた締結座４９をビス５０でねじボス２５に止め付けることにより、イオン発生器３を前ケース１１と一体化できる。この取り付け状態において、中央電極４４と対向電極４５と誘電筒４６との三者は、筒壁２４と同心状になっており、誘電筒４６の開口端、即ちイオン出口５１は吹出口２０と正対している。ボス部４７とリング部４８とは放射状の腕を介して繋がっており、各腕の間がファン３５によって生起された圧縮空気（風）のイオン通路２３への空気通口（入口）２３ａとなっている。
【００２８】
上記のように構成したイオン発生器３によれば、後段トランス４１で昇圧した高電圧のうち、ダイオードを通過したマイナス電流のみを中央電極４４に印加することにより、同中央電極４４から対向電極（アース電極）４５に向けて電子を放出し、空気中の酸素、微少水滴、塵等をマイナスに帯電させてマイナスイオン化できる。このとき副産物としてオゾンも同時に生成されるが、オゾンの生成を極端に少なくするため、図１０におけるダイオードと中央電極４４との間に抵抗を設けて電流値を下げてもよい。イオン化に伴って、イオン通路２３内においてイオン化されていない酸素、微少水滴、塵の量が徐々に減少し、やがてイオン化されていない酸素、微少水滴、塵が極端に減少し、生成できるマイナスイオンの量が少ないままの飽和状態に陥ってしまうおそれがある。こうした事態を避けるために、筒壁２４にスリット２４ａを設け、筒壁２４の周囲空気がスリット２４ａを介してイオン通路内２３へ流入できるようにし、マイナスイオンの量が少ないままの飽和状態で安定するのを確実に防止している。マイナスイオンによって、毛髪の内部深くまで水分を浸透させ、その水分率を高めて毛髪の状態を好適化できる。
【００２９】
図２においてブラシユニット２は、一群のブリッスル５２が設けてあるブラシ台５３と、ブラシ台５３の周縁に前面側から装着されるブラシ枠５４などで構成してあり、ブラシ台５３のほぼ中央に、吹出口２０と対向する主放出口５５が開口され、主放出口５５の上下に補助放出口５６が開口してある。ブリッスル５２は、これらの放出口５５・５６の周りを取り囲むように設けてある。ブラシ台５３の内面には、前ケース１１のポケット２１と係合する３個の爪片５７が突設してある（図６参照）。
【００３０】
ブラシユニット２の全体を前ケース１１の前面に接合した後、下向きに押し下げ操作することにより先の爪片５７がポケット２１と係合して、ブラシユニット２を本体ケース１と一体化できる。この接合状態を維持するために、中間ケース１０のグリップ１４と内ケース１３との間に解除ボタン８と、解除ボタン８をロック付勢するばね５９を設けている。解除ボタン８の片面には、三日月形の操作部６０とピン６１とが設けてあり、図１に示すように、このピン６１がブラシユニット２の下端内面に設けたロック凹部６２と係合することにより、ブラシユニット２が上方移動するのを阻止できる。操作部６０をばね５９の不勢力に抗して押込むと、ピン６１とロック凹部６２の係合が解除されるので、ブラシユニット２を本体ケース１から取り外して、水洗い清掃できる。ブラシユニット２を本体ケース１に装着した状態においては、その接合周縁部、即ちブラシ枠５４の大部分が中間ケース１０の枠部１５で受け止められている。従って、ブラシユニット２に落下衝撃が作用しても、衝撃の殆どは枠部１５で受け止められ、前ケース１１に組み付けたイオン発生器３に伝わることはない。
【００３１】
上記の各部品や各ユニットは、以下の手順で組み立てる。まず、後内ケース１３ｂに電装品ユニット２を組み付け、前内ケース１３ａを蓋合わせ状に接合する。中間ケース１０のグリップ１４の内面に装飾シート１６を装填し、その内面に内ケース１３を差し込み、グリップ１４と内ケース１３との間に解除ボタン８とばね５９を組む。次に、枠部１５の内面に沿って装飾シート１７を配置し、後ケース１２を枠部１５内に後側から差し込んで組み付ける。このとき、ケース下側のねじボス３１を後内ケース１３ｂの係合穴１８に挿通することにより、内ケース１３を分離不能に抜止め固定する。この後、前ケース１１を枠部１５に嵌め込んで前後ケース１１・１２を接合したうえで、前ケース１１の側からビス６４をねじボス３１にねじ込み、両ケース１１・１２で枠部１５を挟持固定する。このように本体ケース１を組み立てた状態では、送風装置４と、イオン発生器３と、後段トランス４１が上下に隣接し、イオン発生器３と背壁１ｂとの間に、ファン３５から送出された空気流を充満させるための空気溜り領域Ｅが形成されている。最後に、ブラシユニット２を先の要領で本体ケース１に組み、スイッチノブ７をグリップ１４に組み付けて整髪ブラシを完成する。
【００３２】
整髪ブラシを使用する際には、スイッチノブ７をオン操作して、モーター３４とイオン発生器３を稼動する。モーター３４の起動によってファン３５が回転駆動され、吸込口２８から吸い込んだ空気を加圧して送り出す。このとき、ファン３５の周囲の過半上部は、後ケース１２の周壁２７と吸込口２８の周縁壁（背壁１ｂ）とで覆われているため、加圧された空気流は概ね下向きに送出され、イオン発生器３と背壁１ｂとの間の開放されたケース内空間に充満する。そのため、空気流は電極ホルダー４３を通過し、イオン通路２３と吹出口２０を介して本体ケース１の外へ送出され、さらにブラシユニット２の主放出口５５および補助放出口５６から放出される。イオン通路２３の内部には、イオン発生器３によって生成されたイオン（マイナスイオン）が浮遊している。従って、生成されたイオンの全てはイオン通路２３を通過する空気流に運ばれて、空気流と共に主放出口５５および補助放出口５６から放出され、髪や頭皮に付着する。
【００３３】
多くの場合は、グリップ１４を握って髪を梳くが、グリップ１４の内面に配置した導電性の装飾シート１６を、低周波パルス発生回路４０を構成する電気回路のグランド側に接続しておくと、装飾シート１６と手とが、絶縁プラスチックであるグリップ１４を介して誘電体を構成する。そのため、人体側がプラス極として作用し、ブラシユニット２から放出されたマイナスイオンを髪に対して確実に付着させることができる。枠部１５は、落下時における側面衝撃を吸収できるので、前ケース１１に直接衝撃が加わるのを防止でき、前ケース１１に取り付けられたイオン発生器３への衝撃を可及的に緩和できる。
【００３４】
上記の実施例以外に、本体ケース１は前ケースと後ケースとを蓋合わせ状に接合して構成することができる。イオン発生器３は、マイカ、セラミック等からなる板状の絶縁体（誘電体）の表と裏とに放電電極と誘導電極を配置した沿面放電型の構造や、２個の針状電極を対向配置した電極構造などに変更でき、イオンの発生が可能であればその構造は何ら限定しない。また、本実施例ではマイナスイオンのみを生成するよう回路を構成しているが、プラスイオンとマイナスイオンを同時に生成させるものの、マイナスイオンの方を優勢に発生させる特公平４−１６９２０号に示されるような回路構成とすることもできる。
【図面の簡単な説明】
【００３５】
【図１】整髪ブラシ要部の縦断側面図である。
【図２】整髪ブラシの正面図である。
【図３】整髪ブラシの側面図である。
【図４】整髪ブラシの構成部材の分解側面図である。
【図５】図２におけるＡ−Ａ線断面図ある。
【図６】イオン発生器と前ケースとの関係を示す分解斜視図である。
【図７】整髪ブラシの縦断側面図である。
【図８】図３におけるＢ−Ｂ線断面図である。
【図９】図７におけるＣ−Ｃ線断面図である。
【図１０】イオン発生手段を示す説明図である。
【図１１】図７におけるＤ−Ｄ線断面図である。
【符号の説明】
【００３６】
１    本体ケース
１ａ  前壁
１ｂ  背壁
２    ブラシユニット
３    イオン発生器
４    送風装置
２０  吹出口
２８  吸込口
３５  ファン
５１  イオン出口
【図１】
0003701665.tif 000002
【図２】
0003701665.tif 000003
【図３】
0003701665.tif 000004
【図４】
0003701665.tif 000005
【図５】
0003701665.tif 000006
【図６】
0003701665.tif 000007
【図７】
0003701665.tif 000008
【図８】
0003701665.tif 000009
【図９】
0003701665.tif 000010
【図１０】
0003701665.tif 000011
【図１１】
0003701665.tif 000012